(57)【要約】【課題】無造作に収容された複数のＯリングの中から１個を取り出すことができるＯリング供給装置を提供する。【解決手段】取出部１３０の入口部１３１は、ガイド１１６側に設けられており、収容室１１１に繋がっていると共に、各Ｏリング２００のうちの１個が入る部分である。また、通路部１３２は、入口部１３１に繋がっており、ケース１１０の上部１２２において拡散用吹出口部１１５側に延設されていると共に、各Ｏリング２００のうちの１個が通過可能になっている。さらに、出口部１３３は、通路部１３２のうち入口部１３１側とは反対側に繋がっていると共に、収容室１１１の外部に繋がっており、拡散用吹出口部１１５によって収容室１１１に導入されるエアーの一部を入口部１３１及び通路部１３２を介して外部に排出する役割を果たす。【選択図】図１
2017019084.tif 000002
【特許請求の範囲】
【請求項１】
複数のＯリング（２００）が収容される収容室（１１１）を有するケース（１１０）と、
前記ケース（１１０）の上部（１２２）に設けられていると共に、前記複数のＯリング（２００）のうちの１個を前記収容室（１１１）から外部に取り出すための取出部（１３０）と、
を備え、
前記ケース（１１０）は、
当該ケース（１１０）の外部から前記収容室（１１１）に前記複数のＯリング（２００）を導入するための蓋部（１１４）と、
前記収容室（１１１）の側面（１１３）に設けられていると共に、前記側面（１１３）のうちの最も底面（１１２）側に設けられており、前記収容室（１１１）にエアーを吹き出すことにより前記複数のＯリング（２００）を拡散させる拡散用吹出口部（１１５）と、
前記収容室（１１１）のうち前記拡散用吹出口部（１１５）とは反対側に設けられていると共に、前記底面（１１２）と前記側面（１１３）とを接続しており、前記拡散用吹出口部（１１５）から吹き出された前記エアーを前記底面（１１２）から前記上部（１２２）に向かって弧を描くように移動させるガイド（１１６）と、
前記拡散用吹出口部（１１５）からの前記エアーの吹き出しを制御する制御部（１２１）と、
を有し、
前記取出部（１３０）は、
前記ガイド（１１６）側に設けられており、前記収容室（１１１）に繋がっていると共に、前記複数のＯリング（２００）のうちの１個が入る入口部（１３１）と、
前記入口部（１３１）に繋がっており、前記上部（１２２）において前記拡散用吹出口部（１１５）側に延設されていると共に、前記複数のＯリング（２００）のうちの１個が通過可能な通路部（１３２）と、
前記通路部（１３２）のうち前記入口部（１３１）側とは反対側に繋がっていると共に、前記収容室（１１１）の外部に繋がっており、前記拡散用吹出口部（１１５）によって前記収容室（１１１）に導入される前記エアーの一部を前記入口部（１３１）及び前記通路部（１３２）を介して外部に排出する出口部（１３３）と、を有しており、
前記拡散用吹出口部（１１５）から前記エアーが前記複数のＯリング（２００）に吹き付けられたことにより前記複数のＯリング（２００）が前記ガイド（１１６）を滑って前記上部（１２２）側に移動した際に、前記複数のＯリング（２００）のうちの１個が前記入口部（１３１）に吸い込まれる気流に乗って当該入口部（１３１）に導入されると共に、前記通路部（１３２）を通過することにより前記出口部（１３３）に取り出されるようになっていることを特徴とするＯリング供給装置。
【請求項２】
前記ケース（１１０）は、
前記上部（１２２）側から前記底面（１１２）側を見たときに前記拡散用吹出口部（１１５）から前記ガイド（１１６）側に広がるようにテーパ状に前記収容室（１１１）に設けられた第１壁部（１１８）と、
前記上部（１２２）側から前記底面（１１２）側を見たときに前記ガイド（１１６）から前記拡散用吹出口部（１１５）側に広がるようにテーパ状に前記収容室（１１１）に設けられた第２壁部（１１９）と、
を有していることを特徴とする請求項１に記載のＯリング供給装置。
【請求項３】
前記ケース（１１０）は、前記ガイド（１１６）側が前記拡散用吹出口部（１１５）側よりも高くなるように前記底面（１１２）を傾斜させる傾斜部（１２０）を有していることを特徴とする請求項１または２に記載のＯリング供給装置。
【請求項４】
前記ケース（１１０）は、前記側面（１１３）のうち前記ガイド（１１６）と前記上部（１２２）との間に設けられており、前記拡散用吹出口部（１３３）側にエアーを吹き出すことにより前記複数のＯリング（２００）を前記拡散用吹出口部（１３３）側に移動させる移動用吹出口部（１１７）を有しており、
前記制御部（１２１）は、前記移動用吹出口部（１１７）からの前記エアーの吹き出しを制御することを特徴とする請求項１ないし３のいずれか１つに記載のＯリング供給装置。
【請求項５】
前記取出部（１３０）は、前記出口部（１３３）に設けられていると共に、前記出口部（１３３）に前記複数のＯリング（２００）のうちの１個が位置することを検知して検知信号を出力する検知センサ（１３４）を有しており、
前記制御部（１２１）は、前記検知信号を入力すると共に、前記検知信号に基づいて前記拡散用吹出口部（１１５）からの前記エアーの供給または停止を制御することを特徴とする請求項１ないし４のいずれか１つに記載のＯリング供給装置。
【請求項６】
前記蓋部（１１４）は、スライド方式によって開閉可能に構成されていることを特徴とする請求項１ないし５のいずれか１つに記載のＯリング供給装置。
【発明の詳細な説明】
【技術分野】
【０００１】
本発明は、無造作に収容された複数のＯリングの中から１個を取り出し可能に構成されたＯリング供給装置に関する。
【背景技術】
【０００２】
従来より、Ｏリングを待機位置から取り出し位置に移動させるように構成されたＯリングの取出装置が、例えば特許文献１で提案されている。具体的には、取出装置は、軸方向に移動可能な可動部材が嵌め込まれた軸部材と、この軸部材の一端側が固定された基台と、を備えている。Ｏリングは中空部分に軸部材の他端側が差し込まれることで可動部材の上に複数積層される。
【０００３】
また、取出装置は、最上位に位置するＯリングを取り出す際に当該Ｏリングの下に位置するＯリングを挟んで保持するチャックと、チャックによって下位のＯリングが保持された状態で最上位のＯリングを吸着する吸着ヘッドと、を備えている。このような構成によると、最上位のＯリングが吸着ヘッドで取り出された後、可動部材が軸部材の他端側に移動する。これにより、次のＯリングの取り出しが可能になる。
【先行技術文献】
【特許文献】
【０００４】
【特許文献１】特開２０１２−１１１０１５号公報
【発明の概要】
【発明が解決しようとする課題】
【０００５】
しかしながら、上記従来の技術では、複数のＯリングを予め軸部材に積み重ねて整列させておかなければならない。このため、例えば複数のＯリングが袋詰めされた等の無造作な状態からＯリングを１個ずつ取り出すことが困難であるという問題がある。
【０００６】
本発明は上記点に鑑み、無造作に収容された複数のＯリングの中から１個を取り出すことができるＯリング供給装置を提供することを目的とする。
【課題を解決するための手段】
【０００７】
上記目的を達成するため、請求項１に記載の発明では、複数のＯリング（２００）が収容される収容室（１１１）を有するケース（１１０）と、ケース（１１０）の上部（１２２）に設けられていると共に、複数のＯリング（２００）のうちの１個を収容室（１１１）から外部に取り出すための取出部（１３０）と、を備えている。
【０００８】
ケース（１１０）は、当該ケース（１１０）の外部から収容室（１１１）に複数のＯリング（２００）を導入するための蓋部（１１４）と、収容室（１１１）の側面（１１３）に設けられていると共に、側面（１１３）のうちの最も底面（１１２）側に設けられており、収容室（１１１）にエアーを吹き出すことにより複数のＯリング（２００）を拡散させる拡散用吹出口部（１１５）と、収容室（１１１）のうち拡散用吹出口部（１１５）とは反対側に設けられていると共に、底面（１１２）と側面（１１３）とを接続しており、拡散用吹出口部（１１５）から吹き出されたエアーを底面（１１２）から上部（１２２）に向かって弧を描くように移動させるガイド（１１６）と、拡散用吹出口部（１１５）からのエアーの吹き出しを制御する制御部（１２１）と、を有している。
【０００９】
また、取出部（１３０）は、ガイド（１１６）側に設けられており、収容室（１１１）に繋がっていると共に、複数のＯリング（２００）のうちの１個が入る入口部（１３１）と、入口部（１３１）に繋がっており、上部（１２２）において拡散用吹出口部（１１５）側に延設されていると共に、複数のＯリング（２００）のうちの１個が通過可能な通路部（１３２）と、通路部（１３２）のうち入口部（１３１）側とは反対側に繋がっていると共に、収容室（１１１）の外部に繋がっており、拡散用吹出口部（１１５）によって収容室（１１１）に導入されるエアーの一部を入口部（１３１）及び通路部（１３２）を介して外部に排出する出口部（１３３）と、を有している。
【００１０】
そして、拡散用吹出口部（１１５）からエアーが複数のＯリング（２００）に吹き付けられたことにより複数のＯリング（２００）がガイド（１１６）を滑って上部（１２２）側に移動した際に、複数のＯリング（２００）のうちの１個が入口部（１３１）に吸い込まれる気流に乗って当該入口部（１３１）に導入されると共に、通路部（１３２）を通過することにより出口部（１３３）に取り出されるようになっていることを特徴とする。
【００１１】
これによると、拡散用吹出口部（１３３）からエアーが吹き出すことで複数のＯリング（２００）がガイド（１１６）に沿って舞い上がるので、収容室（１１１）の空気の出口である取出部（１３０）から１個だけをエアーの力によって取り出すことができる。したがって、複数のＯリング（２００）が無造作にケース（１１０）に収容された状態からＯリング（２００）を１個ずつ取り出すことができる。
【００１２】
なお、この欄及び特許請求の範囲で記載した各手段の括弧内の符号は、後述する実施形態に記載の具体的手段との対応関係を示すものである。
【図面の簡単な説明】
【００１３】
【図１】本発明の第１実施形態に係るＯリング供給装置の断面図である。
【図２】Ｏリング供給装置の収容室の平面図である。
【図３】取出部の平面図である。
【図４】制御部の制御内容を示したフローチャートである。
【図５】Ｏリングの移動を示した図である。
【図６】本発明の第２実施形態に係る取出部の平面図である。
【図７】本発明の第３実施形態に係る取出部の断面図である。
【発明を実施するための形態】
【００１４】
以下、本発明の実施形態について図に基づいて説明する。なお、以下の各実施形態相互において、互いに同一もしくは均等である部分には、図中、同一符号を付してある。
【００１５】
（第１実施形態）
以下、本発明の第１実施形態について図を参照して説明する。本実施形態に係るＯリング供給装置は、例えば、部材同士の接触部を気密または水密に保持するＯリングが設けられたものにおいて、当該接触部の形成時にＯリングを供給するための装置である。
【００１６】
本実施形態に係るＯリング供給装置は、エアーを動力としてＯリングを移動させることにより、１個のＯリングを取り出し可能に構成されている。図１及び図２に示されるように、Ｏリング供給装置１００は、ケース１１０及び取出部１３０を備えている。
【００１７】
ケース１１０は、Ｏリング供給装置１００の母体をなすものである。ケース１１０は複数のＯリング２００が収容される収容室１１１を有している。図１及び図２では、ケース１１０として四角形状の箱形のものが採用されている。もちろん、図に示されたケース１１０の形状は一例であり、例えば円柱状や角柱状等の他の形状が採用されても良い。
【００１８】
ケース１１０のうち収容室１１１の底面１１２や側面１１３を構成する部分は、例えばステンレス鋼等の金属材料で形成されている。これにより、Ｏリングが帯電しないように収容室１１１の底面１１２や側面１１３に静電気を逃がしやすくすることができる。また、ケース１１０の上部１２２は、アクリル樹脂等の透明部材で構成されている。これにより、Ｏリング供給装置１００の稼働中に収容室１１１の様子がわかるようになっている。
【００１９】
さらに、ケース１１０は、蓋部１１４、拡散用吹出口部１１５、ガイド１１６、移動用吹出口部１１７、第１壁部１１８、第２壁部１１９、傾斜部１２０、及び制御部１２１を備えている。
【００２０】
蓋部１１４は、ケース１１０の外部から収容室１１１に複数のＯリング２００を導入するためのＯリング２００の投入部である。蓋部１１４はケース１１０の上部１２２に設けられている。蓋部１１４は、複数のＯリング２００がある程度まとまった状態、例えば袋詰めや箱詰めされた状態で容易に収容室１１１に投入できるように構成されている。
【００２１】
また、図示しないが、蓋部１１４はスライド方式によって開閉可能に構成されている。すなわち、蓋部１１４は、Ｏリング２００の供給時は図示しないストッパが緩められると共にスライドされて投入口を構成する一方、設備稼働時はストッパによって上部１２２に固定されることで収容室１１１を密閉させる。これによると、拡散用吹出口部１１５や移動用吹出口部１１７からエアーが吹き出している際に、エアーによって蓋部１１４が容易に開いてしまうことを防止することができる。
【００２２】
拡散用吹出口部１１５は、図１に示されるように収容室１１１の側面１１３のうちの一側面１２３に設けられていると共に、一側面１２３のうちの最も底面１１２側に設けられている。また、図２に示されるように、拡散用吹出口部１１５は一側面１２３の中央部に配置されている。
【００２３】
拡散用吹出口部１１５は、制御部１２１の指令に従って図示しないエアー供給装置から供給されるエアーを収容室１１１に吹き出すことにより複数のＯリング２００を収容室１１１で拡散させる役割を果たす。多くのＯリング２００にエアーの風圧を与えられるように、拡散用吹出口部１１５のエアー吹出口は幅広に形成されていることが望ましい。
【００２４】
ガイド１１６は、収容室１１１のうち拡散用吹出口部１１５とは反対側に設けられている。また、ガイド１１６は、図１に示されるように、底面１１２と側面１１３のうち一側面１２３とは反対側の他側面１２４とを接続している。図２に示されるように、ガイド１１６は他側面１２４の中央部に配置されている。
【００２５】
ガイド１１６は、例えば１枚の板が鈍角に折り曲げられて構成されている。このような構成により、ガイド１１６は、拡散用吹出口部１１５から吹き出されたエアーを底面１１２から上部１２２に向かって弧を描くように移動させる役割を果たす。ガイド１１６はＯリング２００が滑りやすい素材であれば良く、例えば底面１１２等と同じ金属材料で形成されている。なお、ガイド１１６は、一枚の板がＲ状に曲げられた形状でも良いし、滑り台のような形状でも良い。
【００２６】
移動用吹出口部１１７は、他側面１２４のうちガイド１１６と上部１２２との間に設けられている。また、移動用吹出口部１１７は、制御部１２１の指令に従って図示しないエアー供給装置から供給されるエアーを拡散用吹出口部１１５側に吹き出すことにより複数のＯリング２００を拡散用吹出口部１１５側に移動させる役割を果たす。
【００２７】
これによると、拡散用吹出口部１１５からのエアーが停止した際にガイド１１６側に散乱するＯリング２００を拡散用吹出口部１１５側にまとめることができる。このため、拡散用吹出口部１１５から再びエアーが吹き出す際にＯリング２００にエアーを当てやすくすることができる。
【００２８】
第１壁部１１８は、図２に示されるように、上部１２２側から底面１１２側を見たときに拡散用吹出口部１１５からガイド１１６側に広がるようにテーパ状に収容室１１１に設けられている。言い換えると、第１壁部１１８は、四角形状のケース１１０のうちの一側面１２３側の角部を覆うように底面１１２に立てられている。すなわち、第１壁部１１８は収容室１１１の中央の空間を拡散用吹出口部１１５側に狭くしている。
【００２９】
これによると、第１壁部１１８によって拡散用吹出口部１１５の付近に複数のＯリング２００を集めることができる。つまり、Ｏリング２００の待機位置にＯリング２００を集めるガイドとして機能させることができる。したがって、拡散用吹出口部１１５から効率良く各Ｏリング２００にエアーを吹き付けることができる。
【００３０】
第２壁部１１９は、上部１２２側から底面１１２側を見たときにガイド１１６から拡散用吹出口部１１５側に広がるようにテーパ状に収容室１１１に設けられている。言い換えると、第２壁部１１９は、四角形状のケース１１０のうちの他側面１２４側の角部を覆うように底面１１２に立てられている。すなわち、第２壁部１１９は、収容室１１１の中央の空間をガイド１１６側に狭くしている。これによると、第２壁部１１９によって各Ｏリング２００をガイド１１６に導きやすくすることができる。
【００３１】
上記のように、第１壁部１１８及び第２壁部１１９は、収容室１１１においてＯリング２００の可動範囲を規定することで、第１壁部１１８及び第２壁部１１９によって複数のＯリング２００が収容室１１１で広がり過ぎることを防止することができる。特に、拡散用吹出口部１１５の付近では複数のＯリング２００がバラバラにならずにまとまりやすくすることができる。
【００３２】
傾斜部１２０は、ケース１１０のガイド１１６側が拡散用吹出口部１１５側よりも高くなるように底面１１２を傾斜させるものである。これによると、拡散用吹出口部１１５からのエアーが停止した際にガイド１１６側に散乱するＯリング２００を拡散用吹出口部１１５側の待機位置にまとめやすくすることができる。また、拡散用吹出口部１１５付近に集められた各Ｏリング２００にエアーの風圧を与えやすくすることができる。
【００３３】
制御部１２１は、拡散用吹出口部１１５及び移動用吹出口部１１７からのエアーの吹き出しを制御する電子装置である。制御部１２１は拡散用吹出口部１１５及び移動用吹出口部１１７に接続されたエアー供給装置を制御することにより、収容室１１１へのエアーの供給または停止を行う。また、制御部１２１は、後述する検知センサ１３４に対する信号の入出力を行う。
【００３４】
取出部１３０は、収容室１１１に収容された複数のＯリング２００のうちの１個を収容室１１１から外部に取り出す部分である。取出部１３０は、図１に示されるように、ケース１１０の上部１２２に設けられている。図１及び図３に示されるように、取出部１３０は、入口部１３１、通路部１３２、出口部１３３、及び検知センサ１３４を有して構成されている。
【００３５】
入口部１３１は、取出部１３０のうちのガイド１１６側に設けられている。入口部１３１は、収容室１１１に繋がっていると共に、複数のＯリング２００のうちの１個が入るように構成されている。
【００３６】
通路部１３２は、複数のＯリング２００のうちの１個が通過可能な通路として構成されている。通路部１３２は、上部１２２においてガイド１１６側から拡散用吹出口部１１５側に直線状に延設されている。そして、通路部１３２は、一端側が入口部１３１に繋がっている。
【００３７】
出口部１３３は、通路部１３２のうち入口部１３１側とは反対側の他端側に繋がっている。これにより、収容室１１１は、入口部１３１、通路部１３２、及び出口部１３３を介して外部に繋がっている。収容室１１１は蓋部１１４が閉じられた状態では密閉された空間であるが、取出部１３０が収容室１１１と外部とを繋いでいる。
【００３８】
また、出口部１３３は、Ｏリング２００が気流に乗って運ばれたときに、Ｏリングを所定の位置で停止させるための壁状のストッパ１３５を有している。このストッパ１３５によってＯリング２００の移動が停止する。
【００３９】
そして、拡散用吹出口部１１５によって収容室１１１にエアーが導入されると、収容室１１１の空気の出口は取出部１３０のみであるので、入口部１３１から通路部１３２を経由して出口部１３３に向かう気流が発生する。したがって、出口部１３３は、拡散用吹出口部１１５によって収容室１１１に導入されるエアーの一部を入口部１３１及び通路部１３２を介して外部に排出する役割を果たす。
【００４０】
検知センサ１３４は、出口部１３３に複数のＯリング２００のうちの１個が位置することを検知して検知信号を出力するセンシング手段である。図３に示されるように、検知センサ１３４は出口部１３３に設けられていると共に、発光素子１３６及び受光素子１３７を有している。
【００４１】
発光素子１３６及び受光素子１３７は、通路部１３２の延設方向に対して垂直な方向に対向配置されている。発光素子１３６は例えばＬＥＤを含んで構成されている。発光素子１３６は制御部１２１からの発光指令に従ってＬＥＤを発光させる。また、受光素子１３７は、例えばＬＥＤの光を電圧として検出するフォトダイオードを含んで構成されている。
【００４２】
受光素子１３７は、受光しない場合、すなわちＯリング２００が出口部１３３に位置している場合にＨｉの検知信号を出力する。また、受光素子１３７は、受光した場合、すなわちＯリング２００が出口部１３３に位置していない場合にＬｏの検知信号を出力する。なお、検知信号は受光しない場合にＬｏ、受光した場合にＨｉでも良い。
【００４３】
そして、制御部１２１は、検知センサ１３４から検知信号を入力し、検知信号に基づいて拡散用吹出口部１１５からのエアーの供給または停止を制御する。以上が、Ｏリング供給装置１００の全体構成である。
【００４４】
次に、Ｏリング供給装置１００用いたＯリング２００の供給・取出し方法について説明する。まず、作業者は、蓋部１１４をスライドさせて複数のＯリング２００を収容室１１１に投入する。これにより、各Ｏリング２００は底面１１２のうち拡散用吹出口部１１５側の待機位置に無造作に配置される。そして、作業者は蓋部１１４をスライドさせて収容室１１１を密閉する。なお、この状態では、取出部１３０の出口部１３３には何も無い。
【００４５】
続いて、制御部１２１によるＯリング２００の供給動作がスタートする。図４に示されるように、ステップ１４０では、拡散用吹出口部１１５から収容室１１１に対するエアーの供給処理が行われる。これにより、拡散用吹出口部１１５の手前の待機位置に無造作に配置されていた各Ｏリング２００にエアーが一定時間吹き付けられ、各Ｏリング２００が収容室１１１に拡散される。
【００４６】
ステップ１４１では、Ｏリング２００を待機位置に移動させる処理が行われる。これは、移動用吹出口部１１７からエアーが一定時間吹き出されることにより、ガイド１１６側に位置する各Ｏリング２００が拡散用吹出口部１１５側の待機位置に移動させられる。
【００４７】
この後、スステップ１４２では、検知センサ１３４の動作処理が行われる。すなわち、発光素子１３６に発光指令が出される。そして、ステップ１４３では、Ｏリング２００が出口部１３３に位置しているか否かが判定される。これは、受光素子１３７から入力された検知信号に基づいて判定される。Ｏリング２００が出口部１３３に位置していないと判定された場合、ステップ１４０に戻る。そして、出口部１３３にＯリング２００が検知されるまで、拡散用吹出口部１１５のエアー供給処理が繰り返される。
【００４８】
一方、Ｏリング２００が出口部１３３に位置していると判定された場合、Ｏリング供給動作は終了する。作業者は、出口部１３３に位置するＯリング２００を取り上げて作業を行う。これにより、出口部１３３にはＯリング２００が無い状態となる。この場合、制御部１２１はＯリング２００が出口部１３３に位置しないと判定するので、再び図４に示されたＯリング供給動作を開始する。このようにして、収容室１１１からＯリング２００を１個ずつ取り出す処理が繰り返される。
【００４９】
上記のように、制御部１２１によって拡散用吹出口部１１５からのエアーが制御されることで、出口部１３３に移動するＯリング２００は図５に示された挙動を取る。ここで、Ｏリング２００の挙動は、拡散用吹出口部１１５から吹き出されたエアーの流れに乗る。すなわち、拡散用吹出口部１１５から吹き出されたエアーは、ガイド１１６に沿って収容室１１１の上部１２２側に巻き上げられる。そして、エアーの一部は取出部１３０を流れて外部に排出され、他のエアーは収容室１１１の上部１２２側を流れて一側面１２３を下降し、拡散用吹出口部１１５から吹き出すエアーと共に再びガイド１１６側に流れる。
【００５０】
したがって、拡散用吹出口部１１５からエアーが待機位置の各Ｏリング２００に吹き付けられると、各Ｏリング２００がエアーに押されてガイド１１６側に移動する。すなわち、重なり合っていた各Ｏリング２００が、個々で空中に独立した状態になる。
【００５１】
各Ｏリング２００はそのままガイド１１６を滑ると共に、ガイド１１６の上端を越えてケース１１０の他側面１２４を滑り、収容室１１１に浮上する。そして、各Ｏリング２００のうちの１個が取出部１３０の入口部１３１に吸い込まれる気流に乗って当該入口部１３１に導入される。この１個のＯリング２００は通路部１３２を通過することにより出口部１３３まで移動し、出口部１３３のストッパ１３５で移動が停止する。このようにして１個のＯリング２００が取り出される。
【００５２】
以上説明したように、本実施形態では、拡散用吹出口部１１５からエアーが吹き出すことで複数のＯリング２００をガイド１１６に沿って舞い上がらせている。これにより、複数のＯリング２００を予め整列させずに、収容室１１１の空気の出口である取出部１３０から１個だけをエアーの力によって取り出すことができる。したがって、複数のＯリング２００が無造作にケース１１０に収容された状態からＯリング２００を１個ずつ取り出すことができる。
【００５３】
（第２実施形態）
本実施形態では、第１実施形態と異なる部分について説明する。図６に示されるように、取出部１３０の出口部１３３は、例えば３個分のＯリング２００が通路部１３２の延設方向に沿って配置されるスペースを有している。すなわち、出口部１３３に３個のＯリング２００が配置されることで先頭のＯリング２００が検知センサ１３４で検知されるようになっている。
【００５４】
したがって、制御部１２１は、Ｏリングが検知センサ１３４で検知されるまでエアー供給処理を繰り返す。これにより、Ｏリング供給装置１００は、Ｏリング２００を１個ずつ供給するのではなく、まとめて３個というように複数のＯリング２００を一度に供給可能にすることができる。なお、出口部１３３にＯリング２００を保持する個数は３個に限られず、適宜設定すれば良い。
【００５５】
（第３実施形態）
本実施形態では、第１、第２実施形態と異なる部分について説明する。図７に示されるように、取出部１３０は、拡散用吹出口部１１５側に入口部１３１が位置し、ガイド１１６側に出口部１３３が位置するように構成されていても良い。
【００５６】
これによると、図７の矢印に示されるように、取出部１３０では収容室１１１におけるエアーの気流とは反対側に進む気流が流れる。したがって、１個のＯリング２００が入口部１３１に導入されると、収容室１１１で拡散する各Ｏリング２００の移動方向とは逆方向に１個のＯリング２００を取り出すことができる。
【００５７】
（他の実施形態）
上記各実施形態で示されたＯリング供給装置１００の構成は一例であり、上記で示した構成に限定されることなく、本発明を実現できる他の構成とすることもできる。例えば、通路部１３２をＬ状やＵ状にレイアウトすることでＯリング２００を所望の方向に導くことができる。これは、出口部１３３をＬ状やＵ状にレイアウトすることで実現しても良い。
【００５８】
また、取出部１３０の通路部１３２に吹出口部を設け、制御部１２１によってエアーの供給を制御しても良い。これにより、通路部１３２や入口部１３１でのＯリング２００の詰まりを解消することができる。
【００５９】
そして、第２壁部１１９に吹出口部を設け、制御部１２１によってエアーの供給を制御しても良い。これにより、収容室１１１に散らばったＯリング２００を拡散用吹出口部１１５の付近に集めやすくすることができる。
【００６０】
ケース１１０は、第１壁部１１８及び第２壁部１１９を有していなくても良い。例えば、ケース１１０の形状そのものがＯリング２００の拡散防止を図った形状になっていても良い。また、ケース１１０は傾斜部１２０や移動用吹出口部１１７を有していない構成でも良い。
【００６１】
さらに、蓋部１１４はケース１１０のうちの上部１２２以外の部分に設けられていても良い。蓋部１１４はスライド方式に限られず、エアーによって開閉しない構造であれば他の方式を採用しても良い、
【符号の説明】
【００６２】
１１０  ケース
１１１  収容室
１１４  蓋部
１１５  拡散用吹出口部
１１６  ガイド
１２１  制御部
１３０  取出部
１３１  入口部
１３２  通路部
１３３  出口部
【図１】
2017019084.tif 000003
【図２】
2017019084.tif 000004
【図３】
2017019084.tif 000005
【図４】
2017019084.tif 000006
【図５】
2017019084.tif 000007
【図６】
2017019084.tif 000008
【図７】
2017019084.tif 000009